(57)【要約】【課題】小型化でき、排出部を簡単に延長することができる画像形成装置を提供する。【解決手段】画像形成装置１０は、画像が形成された用紙が排出される排出部６００を有し、排出部６００は、画像形成装置本体１００の上向きの面１０８と、面１０８から用紙の排出方向に延長自在であるように面１０８に延長部６１０と、を有し、延長部６１０は、延長部６１０を用紙の排出方向に延長する方向に指が引っ掛かるように、用紙の面１０８に当接する面である裏面から離れる方向に凹む引っ掛け部６３０と、用紙の裏面側に突出する突出部６４０とを有する。【選択図】図７
2012066911.tif 000002
【特許請求の範囲】
【請求項１】
画像が形成された記録媒体が排出される排出部を有し、
前記排出部は、
排出部本体と、
前記排出部本体から記録媒体の排出方向に延長自在であるように前記排出部本体に設けられた延長部と、
を有し、
前記延長部は、
当該延長部を記録媒体の排出方向に延長する方向に指が引っ掛かるように、前記記録媒体の前記排出部本体に当接する面である裏面から離れる方向に凹む引っ掛け部と、
前記記録媒体の裏面側に突出する突出部と、
を有する画像形成装置。
【請求項２】
前記突出部を２つ有し、
前記引っ掛け部は、２つの前記突出部の間に配置されている請求項１記載の画像形成装置。
【請求項３】
前記引っ掛け部は、
前記記録媒体の裏面の反対側に凹む第１の凹部と、
前記第１の凹部よりも記録媒体の排出方向における下流側に設けられ、前記第１の凹部よりも凹みが深い第２の凹部と、
前記第２の凹部よりも記録媒体の排出方向における下流側に設けられ、前記記録媒体の排出方向と交わる方向の壁面と、
を有する請求項１又は２記載の画像形成装置。
【発明の詳細な説明】
【技術分野】
【０００１】
本発明は、画像形成装置に関する。
【背景技術】
【０００２】
特許文献１には、シート積載台のシート排出方向下流端側の裏面に、補助トレイを引き出し可能に収容する補助トレイ収容部が形成され、この補助トレイ収容部に収容された前記補助トレイを前記シート積載台のシート排出方向下流端から引き出すことができるようになっている画像形成装置であって、前記補助トレイの引き出し方向先端側の裏面には、指を引っ掛けることができる壁が形成され、前記補助トレイ収容部の前記壁に対向する部分には、前記壁と前記補助トレイ収容部との間から指を挿入して、その挿入した指を折り曲げて前記壁に引っ掛けることができる空間を生じさせる段差部分が形成され、前記補助トレイが前記補助トレイ収容部に収容された状態において、前記補助トレイの引き出し方向先端面が前記シート積載台のシート排出方向下流端とほぼ面一になることを特徴とする画像形成装置が開示されている。
【０００３】
特許文献２には、記録紙を下側から支持するために、記録紙の大きさに応じて複数の排紙トレイを段階的に展開できる多段排紙トレイであって、引き出し式に展開可能な第１排紙トレイと、第１排紙トレイの下側に位置し、該排紙トレイの面に平行な面内で回転可能に接続され、第１排紙トレイの前端側に回転式に展開可能な第２排紙トレイとを備えることを特徴とする多段排紙トレイが開示されている。
【先行技術文献】
【特許文献】
【０００４】
【特許文献１】特開２００５−２５５３５０号公報
【特許文献２】特開２００６−２１９３０４号公報
【発明の概要】
【発明が解決しようとする課題】
【０００５】
本発明は、小型化でき、排出部を簡単に延長することができる画像形成装置を提供することを目的とする。
【課題を解決するための手段】
【０００６】
請求項１に係る本発明は、画像が形成された記録媒体が排出される排出部を有し、前記排出部は、排出部本体と、前記排出部本体から記録媒体の排出方向に延長自在であるように前記排出部本体に設けられた延長部と、を有し、前記延長部は、当該延長部を記録媒体の排出方向に延長する方向に指が引っ掛かるように、前記記録媒体の前記排出部本体に当接する面である裏面から離れる方向に凹む引っ掛け部と、前記記録媒体の裏面側に突出する突出部と、を有する画像形成装置である。
【０００７】
請求項２に係る本発明は、前記突出部を２つ有し、前記引っ掛け部は、２つの前記突出部の間に配置されている請求項１記載の画像形成装置である。
【０００８】
請求項３に係る本発明は、前記引っ掛け部は、前記記録媒体の裏面の反対側に凹む第１の凹部と、前記第１の凹部よりも記録媒体の排出方向における下流側に設けられ、前記第１の凹部よりも凹みが深い第２の凹部と、前記第２の凹部よりも記録媒体の排出方向における下流側に設けられ、前記記録媒体の排出方向と交わる方向の壁面と、を有する請求項１又は２記載の画像形成装置である。
【発明の効果】
【０００９】
請求項１に係る本発明によれば、本構成を有しない場合と比較して、小型化でき、排出部を簡単に延長することができる画像形成装置を提供することができる。
【００１０】
請求項２に係る本発明によれば、請求項１に係る本発明が奏する効果を奏することに加えて、本構成を有しない場合と比較して、記録媒体が排出部に置かれている状態でも、排出部を簡単に延長することができる画像形成装置を提供することができる。
【００１１】
請求項３に係る本発明によれば、請求項１又は２記載の画像形成装置が奏する効果を奏することに加えて、本構成を有しない場合と比較して、排出部を延長する操作を行いやすくすることができる画像形成装置を提供することができる。
【図面の簡単な説明】
【００１２】
【図１】本発明の実施形態に係る画像形成装置を示す斜視図である。
【図２】図１に示す画像形成装置を右側面側から一部を破断して示す図である。
【図３】図１に示す画像形成装置を右側面側から示す断面図である。
【図４】図１に示す画像形成装置が有する画像形成装置本体を示す平面図である。
【図５】図１に示す画像形成装置が有する原稿読取装置を示し、図３におけるＡ―Ａ面断面を示す断面図である。
【図６】図５に示す原稿読取装置を示し、図３におけるＢ―Ｂ面断面を示す断面図である。
【図７】図１に示す画像形成装置が有する排出部を示す斜視図である。
【図８】図７に示す排出部が用紙を支持する状態を示し、図８（ａ）は、延長部の用紙排出方向における下流側の端部よりも、同方向における下流側の端部が同方向において上流側に位置する用紙を支持する状態を示す左側面図であり、図８（ｂ）は、延長部の用紙排出方向における下流側の端部よりも、同方向における下流側の端部が同方向において下流側に位置する用紙を支持する状態を示す左側面図である。
【図９】図１に示す画像形成装置が有する排出部の変形例を示す斜視図である。
【発明を実施するための形態】
【００１３】
次に、本発明を実施するための形態を図面を参照して説明する。
図１乃至図３には、本発明の実施形態に係る画像形成装置１０が示されている。図１乃至図３に示すように、画像形成装置１０は、第１の構造体として用いられる画像形成装置本体１００と、第２の構造体として用いられるとともに、被支持体として用いられる原稿読取装置３００と、緩衝装置５００Ｒ、５００Ｌとを有している。
【００１４】
画像形成装置本体１００の上側の面１０８は、記録媒体として用いられる用紙であって、画像が形成された用紙が排出される排出部６００の一部として用いられている。また、画像形成装置本体１００の前側の面には、給紙用開閉部１１０が設けられている。給紙用開閉部１１０は、ヒンジ１１２を用いて画像形成装置本体１００に開閉することができるように装着されている。図１には、給紙用開閉部１１０が画像形成装置本体１００に対して閉じられた状態が示され、図３には、給紙用開閉部１１０が画像形成装置本体１００に対して開かれた状態が示されている。また、画像形成装置本体１００には、画像が形成された用紙を排出するために用いられる排出孔１０２が形成されている。
【００１５】
画像形成装置本体１００内には、像形成部１２０と、給紙装置１６０とが装着されている。また、画像形成装置本体１００内には、搬送路１８０が形成されている。像形成部１２０は、像保持体として用いられる感光体ドラム１２２と、感光体ドラム１２２の表面を帯電する帯電装置１２４と、帯電装置１２４によって帯電された感光体ドラム１２２の表面に光を照射することで感光体ドラム１２２の表面に潜像を形成する潜像形成装置１２６と、潜像形成装置１２６によって感光体ドラム１２２の表面に形成された潜像を現像剤を用いて現像する現像装置１２８と、現像装置１２８による現像で感光体ドラム１２２の表面に形成された現像剤像を用紙に転写する転写装置１３０と、転写装置１３０によって用紙に転写された現像剤像を用紙に定着する定着装置１４０とを有する。
【００１６】
給紙装置１６０は、用紙を積層した状態で収納する、例えば１つの用紙収納部１６２と、用紙収納部１６２に収納された用紙を送り出す送出ロール１６４とを有する。一定以上の大きさの用紙を用紙収納部１６２に収納するには、給紙用開閉部１１０が開いた状態とされ、このような用紙が収納されると用紙の後端部側が画像形成装置本体１００からはみ出し、用紙のはみ出した部分が給紙用開閉部１１０に重力方向下側から支持された状態となる。
【００１７】
搬送路１８０は、給紙装置１６０から転写装置１３０に向けて用紙を搬送し、さらに排出部６００へと用紙を搬送するために用いられる搬送路である。搬送路１８０に沿って、用紙の搬送方向における上流側から順に、先述の送出ロール１６４、搬送ロール１８２、レジストロール１８４、先述の転写装置１３０、先述の定着装置１４０、及び排出ロール１８６が設けられている。
【００１８】
搬送ロール１８２は、用紙をレジストロール１８４に向けて搬送する。レジストロール１８４は、転写装置１３０に向けて搬送される用紙の先端部の転写装置１３０側に向けての移動を一時的に停止させ、感光体ドラム１２２に形成された現像剤像が転写装置１３０の位置に到達するタイミングに合致するように、用紙の先端部の転写装置１３０に向けての移動を再開させる。排出ロール１８６は、定着装置１４０で現像剤像が定着された用紙を排出部６００に向けて搬送する。
【００１９】
原稿読取装置３００は、原稿読取装置本体３０２を有し、ヒンジ３１０を用いて画像形成装置本体１００に回転することができるように支持されている。また、原稿読取装置３００は、図１及び図２に示す画像形成装置本体１００に対して開かれた位置と、図３に示す画像形成装置本体１００に対して閉じられた位置との間で移動し、開閉することができるようになっている。
【００２０】
緩衝装置５００Ｒ及び緩衝装置５００Ｌは、それぞれが原稿読取装置３００の回転動作による衝撃を緩衝する緩衝装置として用いられていて、緩衝装置５００Ｒは画像形成装置１０における右側に、緩衝装置５００Ｌは画像形成装置本体１００における左側に配置されている。緩衝装置５００Ｒと緩衝装置５００Ｌとは構造が同一であるため、以下、緩衝装置５００Ｒについて説明し、緩衝装置５００Ｌについての説明は省略する。また、以下、緩衝装置５００Ｌと特に区別をする場合を除き、緩衝装置５００Ｒを緩衝装置５００と呼ぶ。
【００２１】
緩衝装置５００は、原稿読取装置３００に設けられた案内部として用いられる案内部材５１０と、緩衝装置本体部５３０とを有する。緩衝装置本体部５３０は、画像形成装置本体１００に設けられ案内部材５１０に案内される案内部材として用いられるアーム部材５３４と、アーム部材５３４を付勢する付勢部材として用いられるコイルスプリング５６０とを有する。
【００２２】
図４には、画像形成装置本体１００が示されている。図４に示すように画像形成装置本体１００の上側の面１０８には、緩衝装置５００Ｒの緩衝装置本体部５３０Ｒを画像形成装置本体１００に装着するための装着用孔１０４Ｒ、１０６Ｒが形成されている。また、画像形成装置本体１００の上向きの面には、緩衝装置５００Ｌの緩衝装置本体部５３０Ｌを画像形成装置本体１００に装着するための装着用孔１０４Ｌ、１０６Ｌが形成されている。装着用孔１０４Ｒ、１０４Ｌは、それぞれが装着用孔１０６Ｒ、１０６Ｌよりも手前側に配置されている。
【００２３】
図５及び図６には、原稿読取装置３００が示されている。原稿読取装置３００は、先述のように原稿読取装置本体３０２を有し、原稿読取装置本体３０２の下向きの面には、先述の緩衝装置５００Ｒの案内部材５１０Ｒと、先述の緩衝装置５００Ｌの案内部材５１０Ｌとが装着されている。また、原稿読取装置本体３０２は、先述のヒンジ３１０（図２、図３を参照）を用いて画像形成装置本体１００に装着される部分である被装着部３０４、３０４を有している。
【００２４】
また、図５に示すように、原稿読取装置３００は、光を透過する材料からなるプラテン部材３１２有していて、原稿読取装置本体３０２が原稿の置かれる読取台として用いられている。また、原稿読取装置本体３０２には、原稿読取装置本体３０２に対して開閉可能なプラテンカバー部３２２が装着されている。
【００２５】
原稿読取装置本体３０２内には、原稿に光を照射し、照射した光の原稿からの反射光に基づいて原稿を読み取る読取部３３０が装着されている。また、プラテンカバー部３２２内には、原稿Ｄを自動で搬送する原稿搬送装置３２６が装着されている。原稿読取装置３００は、原稿搬送装置３２６により搬送中の原稿Ｄを流し読みする機能と、プラテン部材３１２上に載置された原稿Ｄを読み取る機能とを備えている。
【００２６】
原稿搬送装置３２６は、読取前の原稿Ｄがセットされる原稿台３４０と、原稿を搬送する原稿搬送路３５０と、画像を読み取った後の原稿が排出される排出台３６０とを有する。
【００２７】
読取部３３０は、光源３４２と、レンズ３４４と、光電変換素子３４６を有し、光源３４２が原稿に光を照射し、その反射光をレンズ３４４で集光し、集められた光を光電変換素子３４６が受光して信号に変換する。
【００２８】
図７には、排出部６００が示されている。排出部６００は、排出部本体として用いられる画像形成装置本体１００の上側の面１０８と、面１０８から図７に矢印Ｅで示す用紙の排出方向に延長自在であるように、面１０８に設けられた延長部６１０とを有している。延長部６１０は、面１０８から用紙の排出方向に延長することができる第１の延長部材６１４と、第１の延長部材６１４から用紙の排出方向に延長することができる第２の延長部材６２０とを有している。延長部６１０は、画像が形成された用紙の面１０８からはみ出した部分を重力方向下側から支持する。
【００２９】
延長部６１０は、第２の延長部材６２０に、延長部６１０を用紙の排出方向に延長する方向に指が引っ掛かるように用紙の裏面（下側の面）から離れる方向に凹む引っ掛け部６３０を有している。また、延長部６１０は、用紙の裏面側に突出する２つの突出部６４０、６４０を有している。図７に示すように、引っ掛け部６３０は、２つの突出部６４０、６４０の間の位置に配置されている。
【００３０】
引っ掛け部６３０は、用紙の裏面の反対側に凹む第１の凹部６３２と、第１の凹部６３２よりも用紙の排出方向における下流側であって、第１の凹部６３２よりも延長部６１０が延長する側に設けられ、第１の凹部６３２よりも凹みが深い第２の凹部６３４と、第２の凹部６３４よりも用紙の排出方向における下流側に設けられ、第２の凹部６３４よりも延長部６１０が延長する側に設けられ、用紙の排出方向と交わる方向の壁面６３６とを有している。
【００３１】
図８（ａ）には、排出部６００が、延長部６１０の用紙排出方向における下流側の端部６２２よりも、同方向における下流側の端部が同方向において上流側に位置する用紙を支持する状態が示され、図８（ｂ）には、排出部６００が、延長部６１０の用紙排出方向における下流側の端部６２２よりも、同方向における端部が同方向において下流側に位置する用紙を支持する状態が示されている。このように、延長部６１０は、延長部６１０の用紙排出方向における下流側の端部６２２よりも、同方向における下流側の端部が同方向において上流側に位置する用紙を支持することもあるし、端部６２２よりも端部が同方向において下流側に位置する用紙を支持することもある。
【００３２】
図８（ｂ）に示すように、排出部６００が、延長部６１０の用紙排出方向における下流側の端部６２２よりも、同方向における端部が同方向において下流側に位置する用紙を支持する場合、用紙の一方の突出部６４０に下方から支えられる部分と他方の突出部６４０に下方から支えられる部分との間の部分が引っ掛け部６３０に入り込むように落下し、用紙が湾曲した状態となり、湾曲することで用紙に剛性が生じる。このため、排出方向における用紙の先端側が下方に垂れ下がったような状態となりにくい。
【００３３】
延長部６１０は使用時に延長すれば良く、未使用時は縮めた状態とすることができる。また、延長する際には、引っ掛け部６３０に指を入れて手前側に引き出せば、第１の延長部材６１４が面１０８から延長され、第２の延長部材６２０が第１の延長部材６１４から延長する。このように、この実施形態においては、延長部６１０の延長する箇所が複数あるものの１回の操作で複数の延長する箇所が延長され、延長部６１０が前側に引き出される。また、延長部が面１０８の上方に回転式に展開可能な場合と比較して、排出空間（面１０８と原稿読取装置本体３０２の下向きの面との隙間）を狭くしても延長部を引き出して延長することができるので、装置の高さ方向の小型化に寄与する。
【００３４】
また、この実施形態においては、排出部に用紙が排出された状態であっても、２つの突出部６４０に用紙が支えられることによって用紙と引っ掛け部６３０との間に空間が形成されるため、この空間に指を挿入して引っ掛け部６３０を引き出すことにより、排出された用紙を排出部から取り去ることなく延長部６１０の延長がなされる。
【００３５】
また、この実施形態においては、引っ掛け部６３０に指を挿入した際に、第１の凹部６３２から、第１の凹部６３２よりも延長部６１０が延長する側に設けられ、第１の凹部６３２よりも凹みが深い第２の凹部６３４へと指先が案内され、第２の凹部６３４から、第２の凹部６３４よりも延長部６１０が延長する側に設けられた壁面６３６へと指先が案内される。このため、手探りで壁面６３６の位置を探す必要がなく、指先が自然に壁面６３６へと案内される。
【００３６】
図９には、排出部６００の変形例が示されている。先述の本発明の実施形態に係る画像形成装置１０が有する排出部６００においては、引っ掛け部６３０は平面の組合せで形成されていたのに対して、この変形例では、引っ掛け部６３０は曲面から構成されている。以上で説明をした部分以外は、先述の本発明の実施形態に係る画像形成装置１０が有する排出部６００と同一であるため説明を省略する。
【産業上の利用可能性】
【００３７】
以上で説明をしたように、本発明は、複写機、ファクシミリ装置、プリンター等の画像形成装置に適用することができる。
【符号の説明】
【００３８】
１０・・・画像形成装置
１００・・・画像形成装置本体
１０８・・・面
６００・・・排出部
６１０・・・延長部
６２２・・・端部
６３０・・・引っ掛け部
６３２・・・第１の凹部
６３４・・・第２の凹部
６３６・・・壁面
６４０・・・突出部
【図１】
2012066911.tif 000003
【図２】
2012066911.tif 000004
【図３】
2012066911.tif 000005
【図４】
2012066911.tif 000006
【図５】
2012066911.tif 000007
【図６】
2012066911.tif 000008
【図７】
2012066911.tif 000009
【図８】
2012066911.tif 000010
【図９】
2012066911.tif 000011